(57)【要約】【課題】２つの押し出し部材をつなぐ伝達部材の長さ調節を容易に行なうことができる部品取り出し装置、及び部品取り出し装置を備えた空気調和機の室内ユニットを提供する。【解決手段】室内ユニット２は、フィルタ清掃機能を有し、除去された塵埃は、ダストボックス６０に貯えられる。ダストボックス６０は、収納部１０ｄに脱着可能に収納され、収納部１０ｄの両端にはそれぞれ第１押し出し部材１１１、第２押し出し部材２１１が回転可能に支持されている。第１押し出し部材１１１には伝達部材３１１が接続されており、伝達部材３１１が、第１押し出し部材１１１の動作を第２押し出し部材２１１に伝達する。伝達部材３１１の第２押し出し部材２１１側の端部には、調節ネジ３１３が取り付けられており、伝達部材３１１の長手方向に対する位置が調節可能になっている。調節ネジ３１３は、伝達部材３１１に取り付けられた状態で接続部材３１４によって第２押し出し部材２１１に接続される。【選択図】図７
2008309454.tif 000002
【特許請求の範囲】
【請求項１】
所定の収納部に脱着可能に収納されている部品を、前記収納部から取り出し方向に移動させる部品取出し装置であって、
前記収納部に可動支持され、前記部品上の第１領域を押して前記部品を前記収納部の外側へ押し出す第１押し出し部材（１１１）と、
前記収納部に可動支持され、前記部品上の前記第１領域から離れた第２領域を押して前記部品を前記収納部の外側へ押し出す第２押し出し部材（２１１）と、
前記第１押し出し部材（１１１）に接続され前記第２押し出し部材（２１１）へと延びて前記第１押し出し部材（１１１）の動作を前記第２押し出し部材（２１１）に伝達する伝達部材（３１１）と、
前記伝達部材（３１１）に取り付けられ前記伝達部材（３１１）の長手方向に対する位置が調節可能であり、前記伝達部材（３１１）に取り付けられた状態で前記第２押し出し部材（２１１）に接続される調節手段（３１２）と、
を備えた部品取り出し装置（１００）。
【請求項２】
前記第１押し出し部材（１１１）及び前記第２押し出し部材（２１１）は、前記収納部に回転可能に支持され、
前記第１押し出し部材（１１１）が前記第１領域を押す方向へ回転したとき、前記第２押し出し部材（２１１）が前記第２領域を押す方向へ回転する、
請求項１に記載の部品取り出し装置（１００）。
【請求項３】
前記第２押し出し部材（２１１）は、前記第２押し出し部材（２１１）の回転の軸から所定距離はなれた位置に、前記調節手段（３１２）が接続される接続部（２１５，２６５）を有している、
請求項２に記載の部品取り出し装置（１００）。
【請求項４】
前記調節手段（３１２）は、
前記伝達部材（３１１）の一端と螺合する調節ネジ（３１３）と、
前記調節ネジ（３１３）を保持した状態で前記第２押し出し部材（２１１）に接続される接続部材（３１４，３６４）と、
を含む、
請求項１から請求項３のいずれか１項に記載の部品取り出し装置（１００）。
【請求項５】
前記調節ネジ（３１３）の外形は多角柱状に成形されており、
前記接続部材（３１４）が、前記調節ネジ（３１３）の少なくとも２つの外側面を保持する凹部（３１５ａ，３６５）有している、
請求項４に記載の部品取り出し装置（１００）。
【請求項６】
前記調節ネジ（３１３）の外形が六角柱又は八角柱に成形されている、
請求項５に記載の部品取り出し装置（１００）。
【請求項７】
フィルタ（２１）に付着した塵埃を除去するフィルタ清掃機能を有した空気調和装置の室内ユニットであって、
前記フィルタ（２１）から除去された塵埃を貯えるダストボックス（６０）と、
前記ダストボックス（６０）を脱着可能に収納する収納部（１０ｄ）を有する本体（１０）と、
前記ダストボックス（６０）を前記収納部（１０ｄ）から取り出し方向に移動させる請求項１から請求項６のいずれか１項に記載の部品取り出し装置（１００）と、
を備えた空気調和機の室内ユニット（２）。
【請求項８】
前記第１領域が前記ダストボックス（６０）の一端近傍にあり、前記第２領域が前記ダストボックス（６０）の他端近傍にある、
請求項７に記載の空気調和機の室内ユニット（２）。
【発明の詳細な説明】
【技術分野】
【０００１】
本発明は、部品取り出し装置、及び空気調和機の室内ユニットに関し、特に、フィルタに付着した塵埃を自動的に除去するフィルタ清掃機能を有する室内ユニットであって、除去された塵埃を貯めるダストボックスを脱着可能に収納部に収納し、そのダストボックスをその収納部から押し出すための部品取り出し装置を備えた室内ユニットに関する。
【背景技術】
【０００２】
近年、空気調和機の室内ユニットとして、フィルタとブラシとを接触させた状態で相対移動させ、そのフィルタに付着した塵埃を除去するものが広く普及している（例えば、特許文献１参照）。特許文献１に記載のものは、フィルタにブラシを接触させ、そのフィルタをモータによって往復移動させている。ブラシによってかき取られた塵埃は、ブラシの下方に設けられたダストボックスに貯まる。このダストボックスは室内ユニットからの脱着が可能であり、ユーザーが必要に応じて室内ユニットからダストボックスを取り外し、貯められた塵埃を捨てて内部の清掃を行なう。
【０００３】
一般に、このような脱着可能な部品を備えている製品では、ユーザーがその部品を本体から取り外し易いように、部品取り出し装置が設けられている。部品取り出し装置の先行技術としては、特許文献２に記載されているような、カムとバネによって部品を押し出すエジェクト装置が開示されている。
【０００４】
しかしながら、大きさや使い方の異なる製品又は部品に同様のエジェクト装置を適用するのは困難であるため、出願人は、図１０に示すような部品取り出し装置４００を開発した。部品取り出し装置４００は、ダストボックス６０近傍に設けたボタン４１５を押し込むことによって、ダストボックス６０の両端に接触している押し出し部材４１１，５１１が回転してダストボックス６０を前方へ押し出す仕組みである。
【０００５】
押し出し部材４１１と押し出し部材５１１とは、伝達部材６１１で連結されており、ボタン４１５を押込んだ際に、押し出し部材４１１が回転する動作を伝達部材６１１が押し出し部材５１１に伝達するので、押し出し部材４１１と押し出し部材５１１とは同時に動作することができる。その伝達部材６１１は、２本の金属線とこれらを結ぶ調節ネジ６１３とから成り、室内ユニットへの組み込み時には、調節ネジ６１３によって長さ調節されている。
【特許文献１】特開２００１−９９４７９号公報
【特許文献２】特開平２−２９９６８号公報
【発明の開示】
【発明が解決しようとする課題】
【０００６】
しかしながら、上記のような部品取り出し装置は、調節ネジの回転によって２本の金属線の対向する端部同士の間隔を調節するため、調節ネジの左側と右側とでは逆方向のネジ切り加工が必要となり、さらに、調節ネジの左側に螺合する金属線の端部と調節ネジの右側に螺合する金属線の端部とでも逆方向のネジ切り加工が必要となり、加工費が増大する。また、加工費を抑えるために、調節ネジの左側と右側とに同方向のネジ切り加工を行い、調節ネジの左側に螺合する金属線の端部と調節ネジの右側に螺合する金属線の端部とにも同方向のネジ切り加工を行うと、組立後に調節ネジを回転させて２本の金属線の対向する端部同士の間隔を調節することができなくなる。その結果、組立前に伝達部材の長さ調節しなければならないので組立費が増大する。
【０００７】
本発明の課題は、２つの押し出し部材をつなぐ伝達部材の長さ調節を容易に行なうことができる部品取り出し装置と、その部品取り出し装置を備えた空気調和機の室内ユニットを提供することにある。
【課題を解決するための手段】
【０００８】
第１発明に係る部品取り出し装置は、所定の収納部に脱着可能に収納されている部品を、収納部から取り出し方向に移動させる部品取出し装置であって、第１押し出し部材と、第２押し出し部材と、伝達部材と、調節手段とを備えている。第１押し出し部材は、収納部に可動支持され、部品上の第１領域を押して部品を収納部の外側へ押し出す。第２押し出し部材は、収納部に可動支持され、部品上の第１領域から離れた第２領域を押して部品を収納部の外側へ押し出す。伝達部材は、第１押し出し部材に接続され第２押し出し部材へと延びて第１押し出し部材の動作を第２押し出し部材に伝達する。調節手段は、伝達部材に取り付けられ伝達部材の長手方向に対する位置が調節可能であり、伝達部材に取り付けられた状態で第２押し出し部材に接続される。
【０００９】
この部品取り出し装置では、第１押し出し部材と第２押し出し部材との間隔が組立時に変動した場合、調節手段の伝達部材に対する位置が、その間隔の変動に対応するように調節されるので、第１押し出し部材の動作が確実に第２押し出し部材へ伝達される。
【００１０】
第２発明に係る部品取り出し装置は、第１発明に係る部品取り出し装置であって、第１押し出し部材及び第２押し出し部材が、収納部に回転可能に支持されている。第１押し出し部材が第１領域を押す方向へ回転したとき、第２押し出し部材が第２領域を押す方向へ回転する。
【００１１】
この部品取り出し装置では、回転運動が部品を押し出す動作に利用されるので、動作空間が小さく小型になる。
【００１２】
第３発明に係る部品取り出し装置は、第２発明に係る部品取り出し装置であって、第２押し出し部材が、第２押し出し部材の回転の軸から所定距離はなれた位置に、調節手段が接続される接続部を有している。
【００１３】
この部品取り出し装置では、調節部材との接続部が、第２押し出し部材の回転の軸から所定距離はなれることにより、第２押し出し部材と伝達部材との間にクランクが形成されるので、伝達部材の動作が確実に第２押し出し部材の回転運動に変換される。
【００１４】
第４発明に係る部品取り出し装置は、第１発明から第３発明のいずれか１つに係る部品取り出し装置であって、調節手段が、伝達部材の一端と螺合する調節ネジと、調節ネジを保持した状態で第２押し出し部材に接続される接続部材とを含む。
【００１５】
この部品取り出し部材では、接続部材の伝達部材に対する位置が、伝達部材の端部から調節ネジによって調節されるので調節が容易である。さらに、伝達部材が１つで足りる。
【００１６】
第５発明に係る部品取り出し装置は、第４発明に係る部品取り出し装置であって、調節ネジの外形が多角柱状に成形されている。接続部材は、調節ネジの少なくとも２つの外側面を保持する凹部有している。
【００１７】
この部品取り出し装置では、調節ネジが接続部材に対して空回りしない。
【００１８】
第６発明に係る部品取り出し装置は、第５発明に係る部品取り出し装置であって、調節ネジの外形が六角柱又は八角柱に成形されている。
【００１９】
この部品取り出し装置では、調節ネジの最小調節量を小さくすることができ、且つ接続部材に対する空回りが防止される。
【００２０】
第７発明に係る空気調和装置の室内ユニットは、フィルタに付着した塵埃を除去するフィルタ清掃機能を有した空気調和装置の室内ユニットであって、ダストボックスと、本体と、第１発明から第６発明のいずれか１つに係る部品取り出し装置とを備えている。ダストボックスは、フィルタから除去された塵埃を貯える。本体は、ダストボックスを脱着可能に収納する収納部を有する。部品取り出し装置は、ダストボックスを収納部から取り出し方向に移動させる。
【００２１】
この室内ユニットでは、ダストボックスの取り出しが簡単になるので、ユーザーにとって使い勝手が良い。
【００２２】
第８発明に係る空気調和装置の室内ユニットは、第７発明に係る空気調和装置の室内ユニットであって、第１領域がダストボックスの一端近傍にあり、第２領域がダストボックスの他端近傍にある。
【００２３】
この室内ユニットでは、押し出し部材が、ダストボックスの端部に配置されるので、ダストボックスと部品取り出し装置とを含む空間の厚み方向の寸法増大が抑制され小型になる。
【発明の効果】
【００２４】
第１発明に係る取り出し装置では、第１押し出し部材と第２押し出し部材との間隔が組立時に変動した場合、調節手段の伝達部材に対する位置が、その間隔の変動に対応するように調節されるので、第１押し出し部材の動作が確実に第２押し出し部材へ伝達される。
【００２５】
第２発明に係る部品取り出し装置では、回転運動が部品を押し出す動作に利用されるので、動作空間が小さく小型になる。
【００２６】
第３発明に係る部品取り出し装置では、調節部材との接続部が、第２押し出し部材の回転の軸から所定距離はなれることにより、第２押し出し部材と伝達部材との間にクランクが形成されるので、伝達部材の動作が確実に第２押し出し部材の回転運動に変換される。
【００２７】
第４発明に係る部品取り出し装置では、接続部材の伝達部材に対する位置が、伝達部材の端部から調節ネジによって調節されるので調節が容易である。さらに、伝達部材が１つで足りる。
【００２８】
第５発明に係る部品取り出し装置では、調節ネジが接続部材に対して空回りしない。
【００２９】
第６発明に係る部品取り出し装置では、調節ネジの最小調節量を小さくすることができ、且つ接続部材に対する空回りが防止される。
【００３０】
第７発明に係る空気調和装置の室内ユニットでは、ダストボックスの取り出しが簡単になるので、ユーザーにとって使い勝手が良い。
【００３１】
第８発明に係る空気調和装置の室内ユニットでは、押し出し部材が、ダストボックスの端部に配置されるので、ダストボックスと部品取り出し装置とを含む空間の厚み方向の寸法増大が抑制され小型になる。
【発明を実施するための最良の形態】
【００３２】
＜室内ユニット２＞
図１は、空気調和機の室内ユニットの斜視図である。図１において、室内ユニット２は、室内の壁面に取り付けられる壁掛け型の室内ユニットであり、本体１０、及びダストボックス６０等を有している。本体１０は、グリル１０ａと前面パネル１０ｂと背面板１０ｃとを含む。前面パネル１０ｂは、グリル１０ａの前面を覆うように取付けられている。
【００３３】
図２は、図１のＡ−Ａ線に沿って切断した室内ユニットの断面図である。図２において、室内ユニット２の内部には、フレーム１１、室内熱交換器１２、ファン１３、及びフィルタ２１が配置されている。室内熱交換器１２及びファン１３は、フレーム１１に取り付けられている。室内熱交換器１２は、通過する空気との間で熱交換を行う。ファン１３は、室内から空気を取り込み、室内熱交換器１２に当てて通過させた後、室内に吹き出す。
【００３４】
フレーム１１の前面下部には、吹出し口１５が設けられており、吹出し口１５から吹き出される空気を案内する水平フラップ１７が、吹出し口１５に設けられている。水平フラップ１７は、空気の案内方向を変更したり、吹出し口１５を開閉したりすることができる。
【００３５】
グリル１０ａと室内熱交換器１２との間にはフィルタ２１が配置されており、室内熱交換器１２に向って流入してくる空気に含まれる塵埃を除去している。本実施形態では、塵埃が付着したフィルタ２１を清掃するために、フィルタ２１を移動させるローラー３１と、フィルタ２１及びローラー３１を支持するガイド部材４１とをさらに備えている。以下、フィルタ清掃機能に関連する部材について説明する。
【００３６】
＜フィルタ清掃機能の関連部材＞
（フィルタ２１）
フィルタ２１は、室内熱交換器１２の前面側に配置され、室内および室外から取り込まれた空気から塵埃を除去する。これにより、フィルタ２１は、空気中に浮遊する塵埃が室内熱交換器１２の表面を汚染することを防止している。フィルタ２１は、正規の状態では、室内熱交換器１２の前面側のほぼ全域を覆うように配置されている。フィルタ２１には、後述のピニオンギア３２と噛み合うラック２４が形成されている。
【００３７】
（ローラー３１）
ローラー３１は、ピニオンギア３２を有している。ピニオンギア３２は、フィルタ２１のラック２４と噛み合っており、ピニオンギア３２が回転することによって、フィルタ２１は上下に移動する。
【００３８】
（ガイド部材４１）
ガイド部材４１は、フィルタ２１が移動するための軌道となる案内溝と、ピニオンギア３２の回転軸を支持する軸受とを有している。
【００３９】
案内溝は、前方案内溝４２ａと下方案内溝４２ｂと後方案内溝４２ｃと上方案内溝４２ｄとから成る。前方案内溝４２ａ及び後方案内溝４２ｃの長さは、フィルタ２１の長手方向の約４分の３の長さに相当し、上方案内溝４２ｄの長さは、フィルタ２１の長手方向の約４分の１の長さに相当する。下方案内溝４２ｂは、前述したピニオンギア３２の歯先円と同軸の円弧軌道を形成しており、前方案内溝４２ａの下端と後方案内溝４２ｃの下端とを結んでいる。前方案内溝４２ａの上端と後方案内溝４２ｃの上端は、共に上方案内溝４２ｄの入口と繋がっている。
【００４０】
（位置検知手段５０）
フィルタ２１は、前述した案内溝に沿って移動し所定の位置で停止する。フィルタ２１の停止位置は、位置検知手段５０によって検知される。図２において、位置検知手段５０は、上方案内溝４２ｄの終端近傍に配置されている。位置検知手段５０は、リミットスイッチ５１、スイッチレバー５２及び回動部材５３を含む。リミットスイッチ５１は、内部の接点をボタンの移動によって開閉するものである。スイッチレバー５２は、リミットスイッチ５１の外側に蝶番式で装着されており、外力が加わると回動してリミットスイッチ５１のボタンを押す。回動部材５３は、フィルタ２１のコーナーと接触することによって回動し、スイッチレバー５２を押す。
【００４１】
（ダストボックス６０）
ダストボックス６０は、フィルタ２１から払い取られた塵埃を一時的に貯める機能を有している。ダストボックス６０は、本体１０の吹出し口１５の前上部位置に取り付けられている。このダストボックス６０は、前面パネル１０ｂが閉じられた状態でも、前面パネル１０ｂとは干渉することなく脱着することができる。また、ダストボックス６０には、ブラシ６１が配設されており、このブラシ６１がフィルタ２１に接触している。そして、ブラシ６１は、ブラシ駆動モータ（図示せず）によって回転駆動される。
【００４２】
図３は、収納部から取り外されたダストボックスの斜視図である。図３において、ダストボックス６０は、外枠６０ｂと内枠６０ｃとを有している。内枠６０ｃには、円柱状のブラシ６１が回転可能な状態で収納されており、フィルタ２１と接触するブラシ６１の毛６１ａの一部が開口部６０ａから露出している。補強部６０ｄは開口部６０ａの対向する長辺同士を繋ぎ、開口部６０ａの変形を防止している。
【００４３】
（ブラシ６１）
図４は、図３のＢ−Ｂ線に沿って切断したダストボックスの断面図である。図４において、ブラシ６１は、回転軸である軸６１ｂと、軸６１ｂから放射状に延びる毛６１ａと、毛６１ａを軸６１ｂに接合するテープ６１ｃとを有している。ブラシ６１は、毛６１ａが植えつけられたテープ６１ｃを、軸６１ｂへ螺旋状に巻きつけることによって製作される。
【００４４】
（櫛部材６９）
ブラシ６１によってフィルタ２１から払い取られた塵埃は、一部はダストボックス６０内に落下するが、残りの塵埃はブラシ６１の毛６１ａに付着する。毛６１ａに付着した塵埃を除去してダストボックス６０内に落とすために、櫛状に加工された櫛部材６９が、ダストボックス６０内で毛６１ａと接触し、毛６１ａに付着した塵埃をかき落としている。
【００４５】
＜部品取り出し装置１００＞
図５は、ダストボックスが取り出された後の室内ユニットの斜視図である。図５において、収納部１０ｄは、ダストボックス６０が収納される場所であり、図５を正面から見たとき、右側端部には部品取り出し装置の第１押し出し部１１０が配置されており、左側端部には部品取り出し装置の第２押し出し部２１０が配置されている。
【００４６】
図６は部品取り出し装置の斜視図であり、図７は部品取り出し装置の分解斜視図である。図６において、部品取り出し装置１００は、第１押し出し部１１０、第２押し出し部２１０及び伝達部３１０から成る。第１押し出し部１１０は、ボタン１５１を有しており、ユーザーがこのボタン１５１を押すことによって、第１押し出し部１１０がダストボックス６０の一端近傍を本体１０の外側へ押し出し、同時に、第２押し出し部２１０がダストボックス６０の他端近傍を本体１０の外側へ押出す。
【００４７】
図７に示すように、第１押し出し部１１０、第２押し出し部２１０及び伝達部３１０は複数の部品で組立てられている。図７において、第１押し出し部１１０は、第１押し出し部材１１１、第１保持部材１２１、第１カバー１３１、第１板バネ１４１、ボタン１５１及びコイルバネ１６１を含んでいる。第２押し出し部２１０は、第２押し出し部材２１１、第２保持部材２２１、第２カバー２３１及び第２板バネ２４１を含んでいる。伝達部３１０は、伝達部材３１１、調節ネジ３１３及び接続部材３１４を含んでいる。
【００４８】
（第１押し出し部１１０の関連部材）
（第１押し出し部材１１１）
第１押し出し部材１１１は、フック１１２、受けカム１１３、押しカム１１４、接続部１１５及び軸１１６が一体に成形された樹脂部品であり、３つの機能を有している。第１押し出し部材１１１の第１の機能は、ダストボックス６０を収納部１０ｄに保持する機能であり、ダストボックス６０が収納部１０ｄに装着されたときに、フック１１２がダストボックス６０の両端に設けられた凹部６０ｅ（図３参照）に嵌り、ダストボックス６０が外側へ突出することを防止している。
【００４９】
第１押し出し部材１１１の第２の機能は、ダストボックス６０を収納部１０ｄから押し出す機能であり、受けカム１１３がボタン１５１に押されたとき、押しカム１１４が軸１１６を中心に回転し、ダストボック６０の端部を収納部１０ｄの外側へ押出す。
【００５０】
第１押し出し部材１１１の第３の機能は、伝達部材３１１を引っ張る機能であり、接続部１１５に設けられた孔１１５ａには、伝達部材３１１の一端が掛かっており、接続部１１５が軸１１６を中心に回転したときに、伝達部材３１１が引っ張られる。
【００５１】
（第１保持部材１２１）
第１保持部材１２１は、ケース１２２、ボタンケース１２３及び取付板１２４が一体に成形された樹脂部品であり、３つの機能を有している。第１保持部材１２１の第１の機能は、第１押し出し部材１１１を保持する機能であり、ケース１２２が軸受１２５を介して第１押し出し部材１１１の軸１１６を回転可能に支持している。但し、ケース１２２が第１押し出し部材１１１の押しカム１１４を囲んでいるので、第１押し出し部材１１１は時計方向へ回転することはできない。
【００５２】
第１保持部材１２１の第２の機能は、ボタン１５１とコイルバネ１６１を保持する機能である。ボタンケース１２３の壁面にはボタン１５１を往復移動可能に支持する案内溝１２３ａが設けられ、ボタンケース１２３の中央にはコイルバネ１６１を支持する支持棒１２３ｂが設けられている。コイルバネ１６１は、ボタンケース１２３とボタン１５１とで挟まれ圧縮されるので、ボタン１５１に反発力が生じる。
【００５３】
第１保持部材１２１の第３の機能は、第１押し出し部１１０を本体１０に固定する機能であり、第１保持部材１２１が取付板１２４の取付穴１２４ａを介して収納部１０ｄにネジ締結される。
【００５４】
（第１カバー１３１）
第１カバー１３１は、隔壁１３２とバネケース１３３とが一体に成形された樹脂部品であり、２つの機能を有する。第１カバー１３１の第１の機能は、ダストボックス６０の収納部１０ｄの端部と本体１０とを仕切る機能であり、ダストボックス６０が収納部１０ｄから取り出されたとき、隔壁１３２が、収納部１０ｄの端部を塞ぎ、本体１０内部が外から見えることを防止している。第１カバー１３１の第２の機能は、第１板バネ１４１を保持する機能であり、隔壁１３２のほぼ中央に第１板バネ１４１が収納されるバネケース１３３が設けられている。
【００５５】
（第１板バネ１４１）
第１板バネ１４１は、バネ用ステンレス鋼板で成形された部品であり、ダストボックス６０を長手方向に押して固定する機能を有している。第１板バネ１４１によって、収納部１０ｄにおけるダストボックス６０のガタツキが防止されている。
【００５６】
（ボタン１５１）
ボタン１５１は、操作部１５２とガイド部１５３が一体に成形された樹脂部品であり、第１押し出し部材１１１を回転させる機能を有している。操作部１５２の表面には、押しボタンであることをユーザーに示唆する文字が表示されている。ガイド部１５３は、第１保持部材１２１のボタンケース１２３と嵌合し、往復直線運動が許容されている。操作部１５２を押すと、ガイド部１５３が直進して第１押し出し部材１１１の受けカム１１３を押し、第１押し出し部材１１１を軸１１６周りに回転させる。
【００５７】
ガイド部１５３の所定の箇所には、ボタンケース１２３の案内溝１２３ａとスナップフィットで嵌合する爪１５３ａが設けられている。爪１５３ａは、案内溝１２３ａの長手方向に沿って移動が許可されている。
【００５８】
（コイルバネ１６１）
コイルバネ１６１は、バネ用ステンレス鋼線でコイル状に成形された部品であり、ボタン１５１に、押し方向とは反対の力を作用させる機能を有している。コイルバネ１６１は、ボタンケース１２３の支持棒１２３ｂに挿入された後に、ボタンケース１２３と、ボタン１５１のガイド部１５３とによって圧縮されるので、ボタン１５１に反発力が生じる。
【００５９】
（第２押し出し部２１０の関連部材）
（第２押し出し部材２１１）
第２押し出し部材２１１は、フック２１２、押しカム２１４、接続部２１５及び軸２１６が一体に成形された樹脂部品であり、２つの機能を有している。第２押し出し部材２１１の第１の機能は、ダストボックス６０を収納部１０ｄに保持する機能であり、ダストボックス６０が収納部１０ｄに装着されたときに、フック２１２がダストボックス６０の両端に設けられた凹部６０ｅ（図３参照）に嵌り、ダストボックス６０が外側へ突出することを防止している。
【００６０】
第２押し出し部材２１１の第２の機能は、ダストボックス６０を収納部１０ｄから押し出す機能であり、接続部２１５が伝達部材３１１に引っ張られたとき、押しカム２１４が軸２１６を中心に回転し、ダストボック６０の端部を収納部１０ｄの外側へ押出す。
【００６１】
接続部２１５は、軸２１６と並行な方向へ延びる円柱であり、軸２１６の中心と接続部２１５の中心とは所定距離Ｒだけ離れている。第２押し出し部材２１１が回転するとき、接続部２１５は軸２１６を中心に半径Ｒの円弧を描く。
【００６２】
（第２保持部材２２１）
第２保持部材２２１は、ケース２２２及び取付板２２４が一体に成形された樹脂部品であり、２つの機能を有している。第２保持部材２２１の第１の機能は、第２押し出し部材２１１を保持する機能であり、ケース２２２が軸受２２５を介して第２押し出し部材２１１の軸２１６を回転可能に支持している。但し、ケース２２２が第２押し出し部材２１１の押しカム２１４を囲んでいるので、第２押し出し部材２１１は反時計方向へ回転することはできない。
【００６３】
第２保持部材２２１の第２の機能は、第２押し出し部２１０を収納部１０ｄに固定する機能であり、第２保持部材２２１が取付板２２４の取付穴２２４ａを介して収納部１０ｄにネジ締結される。
【００６４】
（第２カバー２３１）
第２カバー２３１は、隔壁２３２とバネケース２３３とが一体に成形された樹脂部品であり、２つの機能を有する。第２カバー２３１の第１の機能は、ダストボックス６０の収納部１０ｄの端部と本体１０とを仕切る機能であり、ダストボックス６０が収納部１０ｄから取り出されたとき、隔壁２３２が、収納部１０ｄの端部を塞ぎ、本体１０内部が外から見えることを防止している。第２カバー２３１の第２の機能は、第２板バネ２４１を保持する機能であり、隔壁２３２のほぼ中央に第２板バネ２４１が収納されるバネケース２３３が設けられている。
【００６５】
（第２板バネ２４１）
第２板バネ２４１は、バネ用ステンレス鋼板で成形された部品であり、ダストボックス６０を長手方向に押して固定する機能を有している。第２板バネ２４１によって、収納部１０ｄにおけるダストボックス６０のガタツキが防止されている。
【００６６】
（伝達部３１０の関連部材）
伝達部３１０は、第１押し出し部１１０の第１押し出し部材１１１の変位が第２押し出し部２１０の第２押し出し部材２１１に伝達されるように、第１押し出し部材１１１と第２押し出し部材２１１とを結ぶ。伝達部３１０は、伝達部材３１１と調節手段３１２とから成り、調節手段３１２は、調節ネジ３１３及び接続部材３１４を含む。
【００６７】
（伝達部材３１１）
伝達部材３１１は、ステンレス鋼線で加工された部品であり、一方の端部３１１ａが第１押し出し部１１０の第１押し出し部材１１１に連結され、他方の端部３１１ｂが第２押し出し部２１０の第２押し出し部材２１１に間接的に連結されている。端部３１１ａは、接続部１１５の孔１１５ａにかけられるように曲げ加工されている。端部３１１ｂは、調節ネジ３１３を螺合させるために、ネジ切り加工されている。
【００６８】
第１押し出し部材１１１と第２押し出し部材２１１との距離は製品ごとにバラツキがあるため、作業者は、端部３１１ｂに調節ネジ３１３を螺合させて、端部３１１ａから調節ネジ３１３までの距離を微調整し、距離の調整が完了した後、調節ネジ３１３を接続部材３１４に嵌め込んでいる。
【００６９】
（調節ネジ３１３）
調節ネジ３１３は、黄銅で加工された部品であり、正六角柱状のネジ本体３１３ａの中央には、軸方向に沿ってネジ切り加工されたネジ孔３１３ｂが設けられている。このネジ孔３１３ｂと伝達部材３１１の端部３１１ｂが螺合する。
【００７０】
（接続部材３１４）
図８は、接続部材及びその周辺の拡大図である。図８において、接続部材３１４は、保持部３１５と接続部３１６とが一体に成形された樹脂部品であり、第２押し出し部材２１１と伝達部材３１１とを連結する機能を有する。保持部３１５は、調節ネジ３１３を保持できるように、ネジ本体３１３ａの複数の外側面と接触する凹部３１５ａが設けられている。本実施形態では、凹部３１５ａの形状は、調節ネジ３１３の空回りを防止するために、調節ネジ３１３の４つの外側面と接触するように成形されている。但し、これに限定されるものではなく、例えば、直方体形状に成形されていても、調節ネジ３１３の空回りを防止することができる。
【００７１】
接続部３１６は、保持部３１５の所定の端面から片持ち梁状に突出し、その先端には、円形の爪３１６ａが設けられている。爪３１６ａは、第２押し出し部材２１１の接続部２１５に設けられたれ連結孔２１５ａにスナップフィットで嵌合する。伝達部材３１１が第１押し出し部材１１１に引っ張られると、接続部材３１４が第２押し出し部材２１１の接続部２１５を引っ張る。このとき、第２押し出し部材２１１が軸２１６を中心に回転し、押しカム２１４がダストボックス６０の端部を押す。
【００７２】
第２押し出し部材２１１が回転するとき、接続部２１５は軸２１６を中心に半径Ｒの円弧を描きながら移動するので、連結孔２１５ａと爪３１６ａとは摺動する。連結孔２１５ａと爪３１６ａは嵌合する軸孔と軸の関係であるので、互いにこじることはない。
【００７３】
＜フィルタ清掃動作＞
室内ユニット２では、制御部により定期的に、或いは使用者が必要とするときにリモコンによってフィルタ２１が自動的に清掃される。以下、その仕組みについて説明する。
【００７４】
図２において、フィルタ２１のラック２４は、前方案内溝４２ａと上方案内溝４２ｄとに収まっており、ラック２４の一端（以後、第１端部２４ａとよぶ）はピニオンギア３２と噛み合っている。ローラー３１が回転すると、ピニオンギア３２からラック２４に回転が伝達され、フィルタ２１は、ローラー３１によって下方案内溝４２ｂで方向転換して後方案内溝４２ｃ側へ搬送される。ローラー３１が回転し続けると、ラック２４の第１端部２４ａは上方案内溝４２ｄに入り上方案内溝４２ｄの終端に到達する。
【００７５】
ラック２４の第１端部２４ａが上方案内溝４２ｄの終端に到達すると、第１端部２４ａが位置検知手段５０の回動部材５３を押して回動させる。回動部材５３の回動は、スイッチレバー５２に伝達され、スイッチレバー５２によってリミットスイッチ５１のボタンが押されオン動作する。空気調和機の制御部は、リミットスイッチ５１から出力されるオン信号からラック２４の第１端部２４ａが上方案内溝４２ｄの終端に到達したと判断し、ローラー３１の回転を停止させる。このとき、フィルタ２１のラック２４は、後方案内溝４２ｃと上方案内溝４２ｄとに収まっており、ラック２４の他端（以後、第２端部２４ｂとよぶ）はピニオンギア３２と噛み合っている。
【００７６】
フィルタ２１が移動する際に、フィルタ２１の表面に付着していた塵埃はブラシ６１によって払い取られ、ダストボックス６０に貯えられる。ブラシ６１は、少なくともフィルタ２１が前方から後方へ移動している期間中は回転しており、その回転方向は、フィルタ２１の進行方向に逆らう方向である。
【００７７】
フィルタ２１が前方から後方へ移動し塵埃の除去が終了すると、制御部は、ローラー３１を逆回転させる。フィルタ２１のラック２４の第２端部２４ｂは、ピニオンギア３２と噛み合っているので、ピニオンギア３２からラック２４に回転が伝達され、フィルタ２１は、ローラー３１によって下方案内溝４２ｂで方向転換して前方案内溝４２ａ側へ搬送される。ローラー３１が逆回転し続けると、ラック２４の第２端部２４ｂは上方案内溝４２ｄに入り上方案内溝４２ｄの終端に到達する。
【００７８】
ラック２４の第２端部２４ｂが上方案内溝４２ｄの終端に到達すると、第２端部２４ｂが位置検知手段５０の回動部材５３を押して回動させる。回動部材５３の回動は、スイッチレバー５２に伝達され、スイッチレバー５２によってリミットスイッチ５１のボタンが押されオン動作する。空気調和機の制御部は、リミットスイッチ５１から出力されるオン信号からラック２４の第２端部２４ｂが上方案内溝４２ｄの終端に到達したと判断し、ローラー３１の回転を停止させる。
【００７９】
＜ダストボックス６０の取り外し動作＞
図１、図７において、ダストボックス６０に貯められた塵埃を捨てるとき、ユーザーは、ボタン１５１を押してダストボックス６０を収納部１０ｄから取り外す。ボタン１５１が押されると、受けカム１１３が押されて、第１押し出し部材１１１が回転し、押しカム１１４がダストボックス６０の一端を押す。
【００８０】
第１押し出し部材１１１が回転したとき、接続部１１５が伝達部材３１１を引っ張るので、第２押し出し部材２１１は引っ張られて回転し、押しカム２１４がダストボックス６０の他端を押す。
【００８１】
ダストボックス６０の両端が押されると同時に、第１押し出し部材１１１のフック１１２及び第２押し出し部材２１１のフック２１２がダストボックス６０の凹部６０ｅ（図３参照）から離れるので、ダストボックス６０は、収納部１０ｄから外側へ突出する。その結果、ユーザーはダストボックス６０を本体から容易に取り出すことができる。
【００８２】
＜変形例＞
ここでは、接続部材の形状をより簡素にした変形例について図９を参照しながら説明する。図９は、変形例における接続部材及びその周辺の拡大図である。第２押し出し部材２１１の接続部及び接続部材以外の部品は、上記実施形態と同様であるので、同じ番号を付与して説明は省略する。
【００８３】
図９において、接続部２６５は、軸２１６と並行な方向へ延びる円柱であり、軸２１６の中心と接続部２６５の中心とは所定距離Ｒだけ離れている。第２押し出し部材２１１が回転するとき、接続部２６５は軸２１６を中心に半径Ｒの円弧を描く。
【００８４】
接続部材３６４は、第２押し出し部材２１１と伝達部材３１１とを連結する樹脂部品であり、凹部３６５と孔３６６が設けられている。凹部３６５は、調節ネジ３１３を保持するために、ネジ本体３１３ａの複数の外側面と接触する。本実施形態では、凹部３６５の形状は、調節ネジ３１３の空回りを防止するために、調節ネジ３１３の４つの外側面と接触するように成形されているが、これに限定されるものではなく、例えば、直方体形状に成形されていても、調節ネジ３１３の空回りを防止することができる。孔３６６は、円形の孔であり、第２押し出し部材２１１の接続部２６５と嵌合する。
【００８５】
伝達部材３１１が第１押し出し部材１１１に引っ張られると、接続部材３６４が第２押し出し部材２１１の接続部２６５を引っ張る。このとき、第２押し出し部材２１１が軸２１６を中心に回転し、押しカム２１４がダストボックス６０の端部を押す。第２押し出し部材２１１が回転するとき、接続部２６５は軸２１６を中心に半径Ｒの円弧を描きながら移動するので、接続部２６５と孔３６６とが摺動する。接続部２６５と孔３６６は嵌合する軸と軸孔の関係であるので、互いにこじることはない。
【００８６】
＜特徴＞
（１）
室内ユニット２は、フィルタ２１に付着した塵埃を除去するフィルタ清掃機能を有している。除去された塵埃は、ダストボックス６０に貯えられる。ダストボックス６０は、本体１０の収納部１０ｄに脱着可能に収納されている。収納部１０ｄの一端には第１押し出し部材１１１が回転可能に支持され、他端には第２押し出し部材２１１が回転可能に支持されている。第１押し出し部材１１１及び第２押し出し部材２１１は共に回動してダストボックス６０の端部を押し、収納部１０ｄの外側へ押し出す。その結果、ダストボックスの取り出しが簡単になる。
【００８７】
（２）
この室内ユニット２では、第１押し出し部材１１１に伝達部材３１１が接続されており、伝達部材３１１が、第１押し出し部材１１１の動作を第２押し出し部材２１１に伝達する。伝達部材３１１の第２押し出し部材２１１側の端部には、外形が六角柱に成形された調節ネジ３１３が取り付けられており、伝達部材３１１の長手方向に対する位置が調節可能になっている。調節ネジ３１３は、伝達部材３１１に取り付けられた状態で接続部材３１４によって第２押し出し部材２１１に接続される。接続部材３１４は、調節ネジ３１３の４つの外側面を保持する凹部３１５ａを有している。第１押し出し部材１１１と第２押し出し部材２１１との間隔が組立時に変動した場合、調節ネジ３１３の伝達部材３１１に対する位置が、その間隔の変動に対応するように調節されるので、第１押し出し部材１１１の動作が確実に第２押し出し部材２１１へ伝達される。
【００８８】
（３）
この室内ユニット２では、第２押し出し部材２１１は、第２押し出し部材２１１の回転の軸から所定距離はなれた位置に、接続部２１５を有している。接続部２１５には、接続部材３１４が接続される。その結果、第２押し出し部材２１１と伝達部材３１１との間にクランクが形成され、伝達部材３１１の動作が確実に第２押し出し部材２１１の回転運動に変換される。
【産業上の利用可能性】
【００８９】
以上のように、本発明によれば、フィルタから除去した塵埃を貯めるダストボックスを容易に取り外すことができるので、フィルタ清掃機能を有する空気調和機の室内ユニットに有用である。
【図面の簡単な説明】
【００９０】
【図１】空気調和機の室内ユニットの斜視図。
【図２】図１のＡ−Ａ線に沿って切断した室内ユニットの断面図。
【図３】収納部から取り外されたダストボックスの斜視図。
【図４】図３のＢ−Ｂ線に沿って切断したダストボックスの断面図。
【図５】ダストボックスが取り出された後の室内ユニットの斜視図。
【図６】部品取り出し装置の斜視図。
【図７】部品取り出し装置の分解斜視図。
【図８】接続部材及びその周辺の拡大図。
【図９】変形例における接続部材及びその周辺の拡大図。
【図１０】従来の部品取り出し装置を搭載した室内ユニットの斜視図。
【符号の説明】
【００９１】
２  室内ユニット
１０  本体
１０ｄ  収納部
２１  フィルタ
６０  ダストボックス
１００  部品取り出し装置
１１１  第１押し出し部材
２１１  第２押し出し部材
２１５，２６５  接続部
３１１  伝達部材
３１２  調節手段
３１３  調節ネジ
３１４，３６４  接続部材
３１５ａ，３６５  凹部
【図１】
2008309454.tif 000003
【図２】
2008309454.tif 000004
【図３】
2008309454.tif 000005
【図４】
2008309454.tif 000006
【図５】
2008309454.tif 000007
【図６】
2008309454.tif 000008
【図７】
2008309454.tif 000009
【図８】
2008309454.tif 000010
【図９】
2008309454.tif 000011
【図１０】
2008309454.tif 000012